(57)【要約】【課題】  利用者が簡単に利用者の嗜好に合ったＷｅｂサイトを探索することができるブックマーク情報提供システムを提供する。【解決手段】  サーバ装置２１は、各利用者の個別ブックマーク情報（ＵＲＬ）を収集して保存する。クライアント装置１１はブラウザ等の表示手段１１２を起動した時にクライアント識別子と個別ブックマーク情報とをサーバ装置２１に送信する。サーバ装置２１は、受信した個別ブックマーク情報に含まれるＵＲＬをそれぞれ判別し、それぞれのＵＲＬを持つ利用者の個別ブックマーク情報の中から、嗜好類似のＵＲＬを算出する。サーバ装置２１は算出した嗜好類似のＵＲＬをクライアント装置１１に送信する。クライアント装置１１は取得した嗜好類似のＵＲＬを個別ブックマーク情報と一緒に表示し、アクセスする。【選択図】      図１
2008287595.tif 000002
【特許請求の範囲】
【請求項１】
クライアント装置にブックマーク情報を提供するサーバ装置であって、
各々の前記クライアント装置が所持する個別ブックマーク情報を収集し記憶手段に格納する手段と、
前記クライアント装置から前記個別ブックマーク情報を受信し、前記収集した個別ブックマーク情報に含まれるＵＲＬを統計処理して、前記受信した前記個別ブックマーク情報に関連する嗜好類似ブックマーク情報を選定する手段と、
前記選定した前記嗜好類似ブックマーク情報を前記クライアント装置に送信する手段と、を含む、
ことを特徴とするサーバ装置。
【請求項２】
クライアント装置にブックマーク情報を提供するサーバ装置であって、
クライアント識別子ごとに個別ブックマーク情報を記憶するブックマーク情報記憶手段と、
前記クライアント装置から受信した前記クライアント識別子と前記個別ブックマーク情報とを前記ブックマーク情報記憶手段に格納する情報収集手段と、
前記ブックマーク情報記憶手段に記憶される前記個別ブックマーク情報を読み出して前記受信した前記個別ブックマーク情報のための統計処理を行い、前記統計処理の結果を基に前記受信した前記個別ブックマーク情報に関連する嗜好類似ブックマーク情報を選定する情報統計手段と、
前記選定した前記嗜好類似ブックマーク情報を前記クライアント装置に送信する通信制御手段と、を含む、
ことを特徴とするサーバ装置。
【請求項３】
前記情報統計手段は、
前記ブックマーク情報記憶手段を検索して、前記受信した前記クライアント識別子に対応する前記個別ブックマーク情報に含まれるＵＲＬと同一のＵＲＬを前記個別ブックマーク情報に持つ前記クライアント識別子を特定する手段と、
前記特定した前記クライアント識別子の前記個別ブックマーク情報に含まれるＵＲＬを、含まれるＵＲＬごとにカウントする手段と、
前記カウントした総計が上位から一定数のＵＲＬを前記嗜好類似ブックマーク情報として選定する手段と、を含む、
ことを特徴とする請求項２記載のサーバ装置。
【請求項４】
人気ＵＲＬを記憶する人気ＵＲＬ記憶手段と、
前記ブックマーク情報記憶手段を検索し、前記ブックマーク情報記憶手段に記憶するＵＲＬのうち閾値以上の前記クライアント識別子が所持するＵＲＬを抽出し、前記抽出したＵＲＬを人気ＵＲＬとして前記人気ＵＲＬ記憶手段に保存する人気ＵＲＬ選定手段と、を含み、
前記情報統計手段は、
前記人気ＵＲＬ記憶手段に保存されている前記人気ＵＲＬと前記受信した前記クライアント識別子に対応する前記個別ブックマーク情報に含まれるＵＲＬとを取り除く手段を含む、
ことを特徴とする請求項３記載のサーバ装置。
【請求項５】
サーバ装置からブックマーク情報を取得して表示するクライアント装置であって、
所持する個別ブックマーク情報を前記サーバ装置に送信し、前記個別ブックマーク情報に関連する嗜好類似ブックマーク情報を前記サーバ装置から取得する手段と、
前記個別ブックマーク情報と前記嗜好類似ブックマーク情報とを表示する手段と、を含む、
ことを特徴とするクライアント装置。
【請求項６】
サーバ装置からブックマーク情報を取得して表示するクライアント装置であって、
クライアント識別子と個別ブックマーク情報とを記憶する記憶手段と、
前記クライアント識別子と前記個別ブックマーク情報とを前記サーバ装置に送信し、前記サーバ装置から嗜好類似ブックマーク情報を受信する通信制御手段と、
前記記憶手段から前記クライアント識別子と前記個別ブックマーク情報とを読み出して前記通信制御手段に送出し、前記通信制御手段から前記嗜好類似ブックマーク情報を受け取り前記記憶手段に格納するブックマーク情報処理手段と、
前記ブックマーク情報処理手段から受け取った前記個別ブックマーク情報と前記嗜好類似ブックマーク情報とを表示する表示手段と、を含む、
ことを特徴とするクライアント装置。
【請求項７】
前記ブックマーク情報処理手段は、
前記個別ブックマーク情報と前記嗜好類似ブックマーク情報とを基にブックマーク情報の階層化を行う手段を含む、
ことを特徴とする請求項６記載のクライアント装置。
【請求項８】
クライアント装置にブックマーク情報を提供するサーバ装置と前記サーバ装置から前記ブックマーク情報を取得して表示するクライアント装置とを含むブックマーク情報提供システムであって、
前記クライアント装置は、
所持する個別ブックマーク情報を前記サーバ装置に送信し、前記個別ブックマーク情報に関連する嗜好類似ブックマーク情報を前記サーバ装置から取得する手段と、
前記個別ブックマーク情報と前記嗜好類似ブックマーク情報とを表示する手段と、を含み、
前記サーバ装置は、
各々の前記クライアント装置が所持する個別ブックマーク情報を収集し記憶手段に格納する手段と、
前記クライアント装置から前記個別ブックマーク情報を受信し、前記収集した個別ブックマーク情報に含まれるＵＲＬを統計処理して、前記受信した前記個別ブックマーク情報に関連する嗜好類似ブックマーク情報を選定する手段と、
前記選定した前記嗜好類似ブックマーク情報を前記クライアント装置に送信する手段と、を含む、
ことを特徴とするブックマーク情報提供システム。
【請求項９】
クライアント装置にブックマーク情報を提供するサーバ装置と前記サーバ装置から前記ブックマーク情報を取得して表示するクライアント装置とを含むブックマーク情報提供システムであって、
前記クライアント装置は、
クライアント識別子と個別ブックマーク情報とを記憶する記憶手段と、
前記クライアント識別子と前記個別ブックマーク情報とを前記サーバ装置に送信し、前記サーバ装置から嗜好類似ブックマーク情報を受信する第１通信制御手段と、
前記記憶手段から前記クライアント識別子と前記個別ブックマーク情報とを読み出して前記第１通信制御手段に送出し、前記第１通信制御手段から前記嗜好類似ブックマーク情報を受け取り前記記憶手段に格納するブックマーク情報処理手段と、
前記ブックマーク情報処理手段から受け取った前記個別ブックマーク情報と前記嗜好類似ブックマーク情報とを表示する表示手段と、を含み、
前記サーバ装置は、
クライアント識別子ごとに個別ブックマーク情報を記憶するブックマーク情報記憶手段と、
前記クライアント装置から受信した前記クライアント識別子と前記個別ブックマーク情報とを前記ブックマーク情報記憶手段に格納する情報収集手段と、
前記ブックマーク情報記憶手段に記憶される前記個別ブックマーク情報を読み出して前記受信した前記個別ブックマーク情報のための統計処理を行い、前記統計処理の結果を基に前記受信した前記個別ブックマーク情報に関連する嗜好類似ブックマーク情報を選定する情報統計手段と、
前記選定した前記嗜好類似ブックマーク情報を前記クライアント装置に送信する第２通信制御手段と、を含む、
ことを特徴とするブックマーク情報提供システム。
【請求項１０】
前記情報統計手段は、
前記ブックマーク情報記憶手段を検索して、前記受信した前記クライアント識別子に対応する前記個別ブックマーク情報に含まれるＵＲＬと同一のＵＲＬを前記個別ブックマーク情報に持つ前記クライアント識別子を特定する手段と、
前記特定した前記クライアント識別子の前記個別ブックマーク情報に含まれるＵＲＬを、含まれるＵＲＬごとにカウントする手段と、
前記カウントした総計が上位から一定数のＵＲＬを前記嗜好類似ブックマーク情報として選定する手段と、を含む、
ことを特徴とする請求項９記載のブックマーク情報提供システム。
【請求項１１】
前記サーバ装置は、
人気ＵＲＬを記憶する人気ＵＲＬ記憶手段と、
前記ブックマーク情報記憶手段を検索し、前記ブックマーク情報記憶手段に記憶するＵＲＬのうち閾値以上の前記クライアント識別子が所持するＵＲＬを抽出し、前記抽出したＵＲＬを人気ＵＲＬとして前記人気ＵＲＬ記憶手段に保存する人気ＵＲＬ選定手段と、を含み、
前記情報統計手段は、
前記人気ＵＲＬ記憶手段に保存されている前記人気ＵＲＬと前記受信した前記クライアント識別子に対応する前記個別ブックマーク情報に含まれるＵＲＬとを取り除く手段を含む、
ことを特徴とする請求項１０記載のブックマーク情報提供システム。
【請求項１２】
前記ブックマーク情報処理手段は、
前記個別ブックマーク情報と前記嗜好類似ブックマーク情報とを基にブックマーク情報の階層化を行う手段を含む、
ことを特徴とする請求項９，１０または１１記載のブックマーク情報提供システム。
【請求項１３】
クライアント装置にブックマーク情報を提供するサーバ装置と前記サーバ装置から前記ブックマーク情報を取得して表示するクライアント装置とを含むブックマーク情報提供システムのブックマーク情報提供方法であって、
前記サーバ装置は、
各々の前記クライアント装置が所持する個別ブックマーク情報を収集して記憶手段に格納し、
前記クライアント装置は、
所持する個別ブックマーク情報を前記サーバ装置に送信し、
前記サーバ装置は、
前記クライアント装置から前記個別ブックマーク情報を受信し、
前記収集した個別ブックマーク情報に含まれるＵＲＬを統計処理して、前記受信した前記個別ブックマーク情報に関連する嗜好類似ブックマーク情報を選定し、
前記選定した前記嗜好類似ブックマーク情報を前記クライアント装置に送信し、
前記クライアント装置は、
前記個別ブックマーク情報に関連する前記嗜好類似ブックマーク情報を前記サーバ装置から取得し、
前記個別ブックマーク情報と前記嗜好類似ブックマーク情報とを表示する、
ことを特徴とするブックマーク情報提供方法。
【請求項１４】
クライアント装置にブックマーク情報を提供するサーバ装置と前記サーバ装置から前記ブックマーク情報を取得して表示するクライアント装置とを含むブックマーク情報提供システムのブックマーク情報提供方法であって、
前記サーバ装置は、
クライアント識別子ごとに個別ブックマーク情報をブックマーク情報記憶手段に記憶し、
前記クライアント装置は、
クライアント識別子と個別ブックマーク情報とを記憶手段に記憶し、
前記記憶手段から前記クライアント識別子と前記個別ブックマーク情報とを読み出して前記サーバ装置に送信し、
前記サーバ装置は、
前記クライアント装置から受信した前記クライアント識別子と前記個別ブックマーク情報とを前記ブックマーク情報記憶手段に格納し、
前記ブックマーク情報記憶手段に記憶される前記個別ブックマーク情報を読み出して前記受信した前記個別ブックマーク情報のための統計処理を行い、
前記統計処理の結果を基に前記受信した前記個別ブックマーク情報に関連する嗜好類似ブックマーク情報を選定し、
前記選定した前記嗜好類似ブックマーク情報を前記クライアント装置に送信し、
前記クライアント装置は、
前記サーバ装置から前記嗜好類似ブックマーク情報を受信して前記記憶手段に格納し、
前記個別ブックマーク情報と前記嗜好類似ブックマーク情報とを表示する、
ことを特徴とするブックマーク情報提供方法。
【請求項１５】
前記サーバ装置は、
前記ブックマーク情報記憶手段を検索して、前記受信した前記クライアント識別子に対応する前記個別ブックマーク情報に含まれるＵＲＬと同一のＵＲＬを前記個別ブックマーク情報に持つ前記クライアント識別子を特定し、
前記特定した前記クライアント識別子の前記個別ブックマーク情報に含まれるＵＲＬを、含まれるＵＲＬごとにカウントし、
前記カウントした総計が上位から一定数のＵＲＬを前記嗜好類似ブックマーク情報として選定する、
ことを特徴とする請求項１４記載のブックマーク情報提供方法。
【請求項１６】
前記サーバ装置は、
前記ブックマーク情報記憶手段を検索し、前記ブックマーク情報記憶手段に記憶するＵＲＬのうち閾値以上の前記クライアント識別子が所持するＵＲＬを抽出し、前記抽出したＵＲＬを人気ＵＲＬとして人気ＵＲＬ記憶手段に保存し、
前記人気ＵＲＬ記憶手段に保存されている前記人気ＵＲＬと前記受信した前記クライアント識別子に対応する前記個別ブックマーク情報に含まれるＵＲＬとを取り除く、
ことを特徴とする請求項１５記載のブックマーク情報提供方法。
【請求項１７】
前記クライアント装置は、
前記個別ブックマーク情報と前記嗜好類似ブックマーク情報とを基にブックマーク情報の階層化を行う、
ことを特徴とする請求項１４，１５または１６記載のブックマーク情報提供方法。
【請求項１８】
クライアント装置にブックマーク情報を提供するサーバ装置のブックマーク情報提供プログラムであって、
サーバ装置に、
各々の前記クライアント装置が所持する個別ブックマーク情報を収集し記憶手段に格納する処理と、
前記クライアント装置から前記個別ブックマーク情報を受信し、前記収集した個別ブックマーク情報に含まれるＵＲＬを統計処理して、前記受信した前記個別ブックマーク情報に関連する嗜好類似ブックマーク情報を選定する処理と、
前記選定した前記嗜好類似ブックマーク情報を前記クライアント装置に送信する処理と、
を行わせることを特徴とするブックマーク情報提供プログラム。
【請求項１９】
クライアント装置にブックマーク情報を提供するサーバ装置のブックマーク情報提供プログラムであって、
サーバ装置に、
クライアント識別子ごとに個別ブックマーク情報をブックマーク情報記憶手段に記憶する処理と、
前記クライアント装置から受信した前記クライアント識別子と前記個別ブックマーク情報とを前記ブックマーク情報記憶手段に格納する情報収集処理と、
前記ブックマーク情報記憶手段に記憶される前記個別ブックマーク情報を読み出して前記受信した前記個別ブックマーク情報のための統計処理を行い、前記統計処理の結果を基に前記受信した前記個別ブックマーク情報に関連する嗜好類似ブックマーク情報を選定する情報統計処理と、
前記選定した前記嗜好類似ブックマーク情報を前記クライアント装置に送信する通信制御処理と、
を行わせることを特徴とするブックマーク情報提供プログラム。
【請求項２０】
前記ブックマーク情報記憶手段を検索して、前記受信した前記クライアント識別子に対応する前記個別ブックマーク情報に含まれるＵＲＬと同一のＵＲＬを前記個別ブックマーク情報に持つ前記クライアント識別子を特定する処理と、
前記特定した前記クライアント識別子の前記個別ブックマーク情報に含まれるＵＲＬを、含まれるＵＲＬごとにカウントする処理と、
前記カウントした総計が上位から一定数のＵＲＬを前記嗜好類似ブックマーク情報として選定する処理と、
を行わせることを特徴とする請求項１９記載のブックマーク情報提供プログラム。
【請求項２１】
前記ブックマーク情報記憶手段を検索し、前記ブックマーク情報記憶手段に記憶するＵＲＬのうち閾値以上の前記クライアント識別子が所持するＵＲＬを抽出し、前記抽出したＵＲＬを人気ＵＲＬとして人気ＵＲＬ記憶手段に保存する人気ＵＲＬ選定処理と、
前記人気ＵＲＬ記憶手段に保存されている前記人気ＵＲＬと前記受信した前記クライアント識別子に対応する前記個別ブックマーク情報に含まれるＵＲＬとを取り除く処理と、
を行わせることを特徴とする請求項２０記載のブックマーク情報提供プログラム。
【請求項２２】
サーバ装置からブックマーク情報を取得して表示するクライアント装置のブックマーク情報取得表示プログラムであって、
クライアント装置に、
所持する個別ブックマーク情報を前記サーバ装置に送信し、前記個別ブックマーク情報に関連する嗜好類似ブックマーク情報を前記サーバ装置から取得する処理と、
前記個別ブックマーク情報と前記嗜好類似ブックマーク情報とを表示する処理と、
を行わせることを特徴とするブックマーク情報取得表示プログラム。
【請求項２３】
サーバ装置からブックマーク情報を取得して表示するクライアント装置のブックマーク情報取得表示プログラムであって、
クライアント装置に、
クライアント識別子と個別ブックマーク情報とを記憶手段に記憶する処理と、
前記クライアント識別子と前記個別ブックマーク情報とを前記サーバ装置に送信し、前記サーバ装置から嗜好類似ブックマーク情報を受信する通信制御処理と、
前記記憶手段から前記クライアント識別子と前記個別ブックマーク情報とを読み出して前記通信制御処理に送出し、前記通信制御処理から前記嗜好類似ブックマーク情報を受け取り前記記憶手段に格納するブックマーク情報処理と、
前記ブックマーク情報処理から受け取った前記個別ブックマーク情報と前記嗜好類似ブックマーク情報とを表示する表示処理と、
を行わせることを特徴とするブックマーク情報取得表示プログラム。
【請求項２４】
前記個別ブックマーク情報と前記嗜好類似ブックマーク情報とを基にブックマーク情報の階層化を行う処理、
を行わせることを特徴とする請求項２３記載のブックマーク情報取得表示プログラム。
【発明の詳細な説明】
【技術分野】
【０００１】
本発明は、ブックマーク情報提供システムおよび方法ならびにサーバ装置，クライアント装置およびプログラムに関し、特に、利用者の嗜好にあったブックマーク情報を提供するブックマーク情報提供システムおよび方法ならびにサーバ装置，クライアント装置およびプログラムに関する。
【背景技術】
【０００２】
関連する関連情報提供システムが特許文献１に開示されている。特許文献１に示す関連情報提供システムは、識別情報登録手段と、カテゴリ付与手段と、関連情報検索手段と、情報提供手段とを備え、以下のように動作する。
【０００３】
識別情報登録手段は情報を特定するための識別情報（ＵＲＬ(Uniform Resource Locator)など）をユーザの操作に基づいて登録する。カテゴリ付与手段はユーザが識別情報を識別情報登録手段により登録する際に、ユーザの意図に基づいて、識別情報が特定する情報にカテゴリを付与して分類する。関連情報検索手段はカテゴリの情報に基づいてユーザの意向に合った関連情報（ＵＲＬなど）を検索し、情報提供手段は関連情報検索手段により検索された関連情報をユーザに提供する。
【０００４】
【特許文献１】特開２０００−１８７６６６号公報
【発明の開示】
【発明が解決しようとする課題】
【０００５】
しかしながら、上述した特許文献１においては、ブックマークに登録する識別情報（ＵＲＬなど）に対してカテゴリを付与しなければならず、また、識別情報にカテゴリが付与されていなければ関連情報の対象にもならないという問題点がある。
【０００６】
その理由は、カテゴリにより嗜好の類似度を求め、嗜好の類似度に基づいて関連情報を抽出しているためである。
【０００７】
本発明の目的は、上述した課題を解決するブックマーク情報提供システムおよび方法ならびにサーバ装置，クライアント装置およびプログラムを提供することにある。
【課題を解決するための手段】
【０００８】
本発明の第１のサーバ装置は、クライアント装置にブックマーク情報を提供するサーバ装置であって、各々の前記クライアント装置が所持する個別ブックマーク情報を収集し記憶手段に格納する手段と、前記クライアント装置から前記個別ブックマーク情報を受信し、前記収集した個別ブックマーク情報に含まれるＵＲＬを統計処理して、前記受信した前記個別ブックマーク情報に関連する嗜好類似ブックマーク情報を選定する手段と、前記選定した前記嗜好類似ブックマーク情報を前記クライアント装置に送信する手段と、を含む、ことを特徴とする。
【０００９】
本発明の第２のサーバ装置は、クライアント装置にブックマーク情報を提供するサーバ装置であって、クライアント識別子ごとに個別ブックマーク情報を記憶するブックマーク情報記憶手段と、前記クライアント装置から受信した前記クライアント識別子と前記個別ブックマーク情報とを前記ブックマーク情報記憶手段に格納する情報収集手段と、前記ブックマーク情報記憶手段に記憶される前記個別ブックマーク情報を読み出して前記受信した前記個別ブックマーク情報のための統計処理を行い、前記統計処理の結果を基に前記受信した前記個別ブックマーク情報に関連する嗜好類似ブックマーク情報を選定する情報統計手段と、前記選定した前記嗜好類似ブックマーク情報を前記クライアント装置に送信する通信制御手段と、を含む、ことを特徴とする。
【００１０】
本発明の第３のサーバ装置は、第２のサーバ装置において、前記情報統計手段は、前記ブックマーク情報記憶手段を検索して、前記受信した前記クライアント識別子に対応する前記個別ブックマーク情報に含まれるＵＲＬと同一のＵＲＬを前記個別ブックマーク情報に持つ前記クライアント識別子を特定する手段と、前記特定した前記クライアント識別子の前記個別ブックマーク情報に含まれるＵＲＬを、含まれるＵＲＬごとにカウントする手段と、前記カウントした総計が上位から一定数のＵＲＬを前記嗜好類似ブックマーク情報として選定する手段と、を含む、ことを特徴とする。
【００１１】
本発明の第４のサーバ装置は、第３のサーバ装置において、人気ＵＲＬを記憶する人気ＵＲＬ記憶手段と、前記ブックマーク情報記憶手段を検索し、前記ブックマーク情報記憶手段に記憶するＵＲＬのうち閾値以上の前記クライアント識別子が所持するＵＲＬを抽出し、前記抽出したＵＲＬを人気ＵＲＬとして前記人気ＵＲＬ記憶手段に保存する人気ＵＲＬ選定手段と、を含み、前記情報統計手段は、前記人気ＵＲＬ記憶手段に保存されている前記人気ＵＲＬと前記受信した前記クライアント識別子に対応する前記個別ブックマーク情報に含まれるＵＲＬとを取り除く手段を含む、ことを特徴とする。
【００１２】
本発明の第１のクライアント装置は、サーバ装置からブックマーク情報を取得して表示するクライアント装置であって、所持する個別ブックマーク情報を前記サーバ装置に送信し、前記個別ブックマーク情報に関連する嗜好類似ブックマーク情報を前記サーバ装置から取得する手段と、前記個別ブックマーク情報と前記嗜好類似ブックマーク情報とを表示する手段と、を含む、ことを特徴とする。
【００１３】
本発明の第２のクライアント装置は、サーバ装置からブックマーク情報を取得して表示するクライアント装置であって、クライアント識別子と個別ブックマーク情報とを記憶する記憶手段と、前記クライアント識別子と前記個別ブックマーク情報とを前記サーバ装置に送信し、前記サーバ装置から嗜好類似ブックマーク情報を受信する通信制御手段と、前記記憶手段から前記クライアント識別子と前記個別ブックマーク情報とを読み出して前記通信制御手段に送出し、前記通信制御手段から前記嗜好類似ブックマーク情報を受け取り前記記憶手段に格納するブックマーク情報処理手段と、前記ブックマーク情報処理手段から受け取った前記個別ブックマーク情報と前記嗜好類似ブックマーク情報とを表示する表示手段と、を含む、ことを特徴とする。
【００１４】
本発明の第３のクライアント装置は、第２のクライアント装置において、前記ブックマーク情報処理手段は、前記個別ブックマーク情報と前記嗜好類似ブックマーク情報とを基にブックマーク情報の階層化を行う手段を含む、ことを特徴とする。
【００１５】
本発明の第１のブックマーク情報提供システムは、クライアント装置にブックマーク情報を提供するサーバ装置と前記サーバ装置から前記ブックマーク情報を取得して表示するクライアント装置とを含むブックマーク情報提供システムであって、前記クライアント装置は、所持する個別ブックマーク情報を前記サーバ装置に送信し、前記個別ブックマーク情報に関連する嗜好類似ブックマーク情報を前記サーバ装置から取得する手段と、前記個別ブックマーク情報と前記嗜好類似ブックマーク情報とを表示する手段と、を含み、前記サーバ装置は、各々の前記クライアント装置が所持する個別ブックマーク情報を収集し記憶手段に格納する手段と、前記クライアント装置から前記個別ブックマーク情報を受信し、前記収集した個別ブックマーク情報に含まれるＵＲＬを統計処理して、前記受信した前記個別ブックマーク情報に関連する嗜好類似ブックマーク情報を選定する手段と、前記選定した前記嗜好類似ブックマーク情報を前記クライアント装置に送信する手段と、を含む、ことを特徴とする。
【００１６】
本発明の第２のブックマーク情報提供システムは、クライアント装置にブックマーク情報を提供するサーバ装置と前記サーバ装置から前記ブックマーク情報を取得して表示するクライアント装置とを含むブックマーク情報提供システムであって、前記クライアント装置は、クライアント識別子と個別ブックマーク情報とを記憶する記憶手段と、前記クライアント識別子と前記個別ブックマーク情報とを前記サーバ装置に送信し、前記サーバ装置から嗜好類似ブックマーク情報を受信する第１通信制御手段と、前記記憶手段から前記クライアント識別子と前記個別ブックマーク情報とを読み出して前記第１通信制御手段に送出し、前記第１通信制御手段から前記嗜好類似ブックマーク情報を受け取り前記記憶手段に格納するブックマーク情報処理手段と、前記ブックマーク情報処理手段から受け取った前記個別ブックマーク情報と前記嗜好類似ブックマーク情報とを表示する表示手段と、を含み、前記サーバ装置は、クライアント識別子ごとに個別ブックマーク情報を記憶するブックマーク情報記憶手段と、前記クライアント装置から受信した前記クライアント識別子と前記個別ブックマーク情報とを前記ブックマーク情報記憶手段に格納する情報収集手段と、前記ブックマーク情報記憶手段に記憶される前記個別ブックマーク情報を読み出して前記受信した前記個別ブックマーク情報のための統計処理を行い、前記統計処理の結果を基に前記受信した前記個別ブックマーク情報に関連する嗜好類似ブックマーク情報を選定する情報統計手段と、前記選定した前記嗜好類似ブックマーク情報を前記クライアント装置に送信する第２通信制御手段と、を含む、ことを特徴とする。
【００１７】
本発明の第３のブックマーク情報提供システムは、第２のブックマーク情報提供システムにおいて、前記情報統計手段は、前記ブックマーク情報記憶手段を検索して、前記受信した前記クライアント識別子に対応する前記個別ブックマーク情報に含まれるＵＲＬと同一のＵＲＬを前記個別ブックマーク情報に持つ前記クライアント識別子を特定する手段と、前記特定した前記クライアント識別子の前記個別ブックマーク情報に含まれるＵＲＬを、含まれるＵＲＬごとにカウントする手段と、前記カウントした総計が上位から一定数のＵＲＬを前記嗜好類似ブックマーク情報として選定する手段と、を含む、ことを特徴とする。
【００１８】
本発明の第４のブックマーク情報提供システムは、第３のブックマーク情報提供システムにおいて、前記サーバ装置は、人気ＵＲＬを記憶する人気ＵＲＬ記憶手段と、前記ブックマーク情報記憶手段を検索し、前記ブックマーク情報記憶手段に記憶するＵＲＬのうち閾値以上の前記クライアント識別子が所持するＵＲＬを抽出し、前記抽出したＵＲＬを人気ＵＲＬとして前記人気ＵＲＬ記憶手段に保存する人気ＵＲＬ選定手段と、を含み、前記情報統計手段は、前記人気ＵＲＬ記憶手段に保存されている前記人気ＵＲＬと前記受信した前記クライアント識別子に対応する前記個別ブックマーク情報に含まれるＵＲＬとを取り除く手段を含む、ことを特徴とする。
【００１９】
本発明の第５のブックマーク情報提供システムは、第２，第３または第４のブックマーク情報提供システムにおいて、前記ブックマーク情報処理手段は、前記個別ブックマーク情報と前記嗜好類似ブックマーク情報とを基にブックマーク情報の階層化を行う手段を含む、ことを特徴とする。
【００２０】
本発明の第１のブックマーク情報提供方法は、クライアント装置にブックマーク情報を提供するサーバ装置と前記サーバ装置から前記ブックマーク情報を取得して表示するクライアント装置とを含むブックマーク情報提供システムのブックマーク情報提供方法であって、前記サーバ装置は、各々の前記クライアント装置が所持する個別ブックマーク情報を収集して記憶手段に格納し、前記クライアント装置は、所持する個別ブックマーク情報を前記サーバ装置に送信し、前記サーバ装置は、前記クライアント装置から前記個別ブックマーク情報を受信し、前記収集した個別ブックマーク情報に含まれるＵＲＬを統計処理して、前記受信した前記個別ブックマーク情報に関連する嗜好類似ブックマーク情報を選定し、前記選定した前記嗜好類似ブックマーク情報を前記クライアント装置に送信し、前記クライアント装置は、前記個別ブックマーク情報に関連する前記嗜好類似ブックマーク情報を前記サーバ装置から取得し、前記個別ブックマーク情報と前記嗜好類似ブックマーク情報とを表示する、ことを特徴とする。
【００２１】
本発明の第２のブックマーク情報提供方法は、クライアント装置にブックマーク情報を提供するサーバ装置と前記サーバ装置から前記ブックマーク情報を取得して表示するクライアント装置とを含むブックマーク情報提供システムのブックマーク情報提供方法であって、前記サーバ装置は、クライアント識別子ごとに個別ブックマーク情報をブックマーク情報記憶手段に記憶し、前記クライアント装置は、クライアント識別子と個別ブックマーク情報とを記憶手段に記憶し、前記記憶手段から前記クライアント識別子と前記個別ブックマーク情報とを読み出して前記サーバ装置に送信し、前記サーバ装置は、前記クライアント装置から受信した前記クライアント識別子と前記個別ブックマーク情報とを前記ブックマーク情報記憶手段に格納し、前記ブックマーク情報記憶手段に記憶される前記個別ブックマーク情報を読み出して前記受信した前記個別ブックマーク情報のための統計処理を行い、前記統計処理の結果を基に前記受信した前記個別ブックマーク情報に関連する嗜好類似ブックマーク情報を選定し、前記選定した前記嗜好類似ブックマーク情報を前記クライアント装置に送信し、前記クライアント装置は、前記サーバ装置から前記嗜好類似ブックマーク情報を受信して前記記憶手段に格納し、前記個別ブックマーク情報と前記嗜好類似ブックマーク情報とを表示する、ことを特徴とする。
【００２２】
本発明の第３のブックマーク情報提供方法は、第２のブックマーク情報提供方法において、前記サーバ装置は、前記ブックマーク情報記憶手段を検索して、前記受信した前記クライアント識別子に対応する前記個別ブックマーク情報に含まれるＵＲＬと同一のＵＲＬを前記個別ブックマーク情報に持つ前記クライアント識別子を特定し、前記特定した前記クライアント識別子の前記個別ブックマーク情報に含まれるＵＲＬを、含まれるＵＲＬごとにカウントし、前記カウントした総計が上位から一定数のＵＲＬを前記嗜好類似ブックマーク情報として選定する、ことを特徴とする。
【００２３】
本発明の第４のブックマーク情報提供方法は、第３のブックマーク情報提供方法において、前記サーバ装置は、前記ブックマーク情報記憶手段を検索し、前記ブックマーク情報記憶手段に記憶するＵＲＬのうち閾値以上の前記クライアント識別子が所持するＵＲＬを抽出し、前記抽出したＵＲＬを人気ＵＲＬとして人気ＵＲＬ記憶手段に保存し、前記人気ＵＲＬ記憶手段に保存されている前記人気ＵＲＬと前記受信した前記クライアント識別子に対応する前記個別ブックマーク情報に含まれるＵＲＬとを取り除く、ことを特徴とする。
【００２４】
本発明の第５のブックマーク情報提供方法は、第２，第３または第４のブックマーク情報提供方法において、前記クライアント装置は、前記個別ブックマーク情報と前記嗜好類似ブックマーク情報とを基にブックマーク情報の階層化を行う、ことを特徴とする。
【００２５】
本発明の第１のブックマーク情報提供プログラムは、クライアント装置にブックマーク情報を提供するサーバ装置のブックマーク情報提供プログラムであって、サーバ装置に、各々の前記クライアント装置が所持する個別ブックマーク情報を収集し記憶手段に格納する処理と、前記クライアント装置から前記個別ブックマーク情報を受信し、前記収集した個別ブックマーク情報に含まれるＵＲＬを統計処理して、前記受信した前記個別ブックマーク情報に関連する嗜好類似ブックマーク情報を選定する処理と、前記選定した前記嗜好類似ブックマーク情報を前記クライアント装置に送信する処理と、を行わせることを特徴とする。
【００２６】
本発明の第２のブックマーク情報提供プログラムは、クライアント装置にブックマーク情報を提供するサーバ装置のブックマーク情報提供プログラムであって、サーバ装置に、クライアント識別子ごとに個別ブックマーク情報をブックマーク情報記憶手段に記憶する処理と、前記クライアント装置から受信した前記クライアント識別子と前記個別ブックマーク情報とを前記ブックマーク情報記憶手段に格納する情報収集処理と、前記ブックマーク情報記憶手段に記憶される前記個別ブックマーク情報を読み出して前記受信した前記個別ブックマーク情報のための統計処理を行い、前記統計処理の結果を基に前記受信した前記個別ブックマーク情報に関連する嗜好類似ブックマーク情報を選定する情報統計処理と、前記選定した前記嗜好類似ブックマーク情報を前記クライアント装置に送信する通信制御処理と、を行わせることを特徴とする。
【００２７】
本発明の第３のブックマーク情報提供プログラムは、第２のブックマーク情報提供プログラムにおいて、前記ブックマーク情報記憶手段を検索して、前記受信した前記クライアント識別子に対応する前記個別ブックマーク情報に含まれるＵＲＬと同一のＵＲＬを前記個別ブックマーク情報に持つ前記クライアント識別子を特定する処理と、前記特定した前記クライアント識別子の前記個別ブックマーク情報に含まれるＵＲＬを、含まれるＵＲＬごとにカウントする処理と、前記カウントした総計が上位から一定数のＵＲＬを前記嗜好類似ブックマーク情報として選定する処理と、を行わせることを特徴とする。
【００２８】
本発明の第４のブックマーク情報提供プログラムは、第３のブックマーク情報提供プログラムにおいて、前記ブックマーク情報記憶手段を検索し、前記ブックマーク情報記憶手段に記憶するＵＲＬのうち閾値以上の前記クライアント識別子が所持するＵＲＬを抽出し、前記抽出したＵＲＬを人気ＵＲＬとして人気ＵＲＬ記憶手段に保存する人気ＵＲＬ選定処理と、前記人気ＵＲＬ記憶手段に保存されている前記人気ＵＲＬと前記受信した前記クライアント識別子に対応する前記個別ブックマーク情報に含まれるＵＲＬとを取り除く処理と、を行わせることを特徴とする。
【００２９】
本発明の第１のブックマーク情報取得表示プログラムは、サーバ装置からブックマーク情報を取得して表示するクライアント装置のブックマーク情報取得表示プログラムであって、クライアント装置に、所持する個別ブックマーク情報を前記サーバ装置に送信し、前記個別ブックマーク情報に関連する嗜好類似ブックマーク情報を前記サーバ装置から取得する処理と、前記個別ブックマーク情報と前記嗜好類似ブックマーク情報とを表示する処理と、を行わせることを特徴とする。
【００３０】
本発明の第２のブックマーク情報取得表示プログラムは、サーバ装置からブックマーク情報を取得して表示するクライアント装置のブックマーク情報取得表示プログラムであって、クライアント装置に、クライアント識別子と個別ブックマーク情報とを記憶手段に記憶する処理と、前記クライアント識別子と前記個別ブックマーク情報とを前記サーバ装置に送信し、前記サーバ装置から嗜好類似ブックマーク情報を受信する通信制御処理と、前記記憶手段から前記クライアント識別子と前記個別ブックマーク情報とを読み出して前記通信制御処理に送出し、前記通信制御処理から前記嗜好類似ブックマーク情報を受け取り前記記憶手段に格納するブックマーク情報処理と、前記ブックマーク情報処理から受け取った前記個別ブックマーク情報と前記嗜好類似ブックマーク情報とを表示する表示処理と、を行わせることを特徴とする。
【００３１】
本発明の第３のブックマーク情報取得表示プログラムは、第２のブックマーク情報取得表示プログラムにおいて、前記個別ブックマーク情報と前記嗜好類似ブックマーク情報とを基にブックマーク情報の階層化を行う処理、を行わせることを特徴とする。
【発明の効果】
【００３２】
本発明は、利用者が簡単に利用者の嗜好に合ったＷｅｂサイトを探索することができるという効果を有している。
【００３３】
その理由は、サーバ装置が、各クライアント装置が所持する個別ブックマーク情報を収集し、収集した個別ブックマーク情報に含まれるＵＲＬを統計処理して、個別ブックマーク情報に関連する嗜好類似ブックマーク情報を選定し、選定した嗜好類似ブックマーク情報をクライアント装置に送信するようにしたためである。
【発明を実施するための最良の形態】
【００３４】
最初に、本発明の特徴について説明する。
【００３５】
クライアント装置の利用者がブラウザを用いてアクセスするＷｅｂサイトのＵＲＬ(Uniform Resource Locator)をブックマークに登録する。サーバ装置は、各クライアント装置からブックマークに登録されているブックマーク情報（ＵＲＬ）を収集する。サーバ装置は、クライアント装置から利用者の嗜好に合ったＵＲＬの要求を受けると、収集したブックマーク情報に対して、該利用者のための統計処理を行う。サーバ装置は、統計処理の結果を基に該利用者の嗜好に合ったＵＲＬ（嗜好類似のＵＲＬ）を選定する。クライアント装置は、サーバ装置から嗜好類似のＵＲＬを受信して表示する。
【００３６】
以下に、本発明を実施するための最良の形態について、図面を参照して詳細に説明する。
【００３７】
先ず、本発明の第１の実施の形態の構成について説明する。
【００３８】
図１を参照すると、本発明の第１の実施の形態のブックマーク情報提供システムは、クライアント装置１１と、クライアント装置１２と、クライアント装置１３と、クライアント装置１４と、サーバ装置２１と、ネットワーク３１と、を備えている。図１では、クライアント装置として４つのクライアント装置１１〜１４を図示しているが、クライアント装置の数に特段の制約はない。
【００３９】
クライアント装置１１は、プログラム制御で動作するパーソナルコンピュータ等の情報処理装置で、本システムの利用者が操作する装置である。クライアント装置１１は、図２に示すように、入力手段１１１と、表示手段１１２と、記憶手段１１３と、ブックマーク情報処理手段１１４と、通信制御手段１１５と、を含む。
【００４０】
クライアント装置１２とクライアント装置１３とクライアント装置１４とは、クライアント装置１１と同等である。
【００４１】
サーバ装置２１は、プログラム制御で動作するサーバ等の情報処理装置で、クライアント装置１１〜１４のブックマーク情報を収集して登録管理する。サーバ装置２１は、図３に示すように、通信制御手段２１１と、情報収集手段２１２と、情報統計手段２１３と、ブックマーク情報記憶手段２１４と、を含む。
【００４２】
ネットワーク３１は、クライアント装置１１〜１４とサーバ装置２１とを接続するインターネット等の通信網である。
【００４３】
上記の各手段は、概略以下のように動作する。
【００４４】
入力手段１１１は、キーボードやマウス等の入力装置（図示せず）から入力した指示情報をブックマーク情報処理手段１１４に送出する。
【００４５】
表示手段１１２は、ブックマーク機能の備わるブラウザ等である。表示手段１１２は、ブックマーク情報処理手段１１４から情報を受け取り、受け取った情報をディスプレイ等の表示装置（図示せず）に表示する。また、表示手段１１２は、利用者の指示によりブックマーク情報をブックマーク情報処理手段１１４を介して記憶手段１１３に登録する。なお、ブックマーク機能やブラウザは周知の事項なので、ここでの説明は省略する。ブックマークに登録される内容（例えばＵＲＬ(Uniform Resource Locator)など）は、その利用者にとって興味があるものであり、その利用者の嗜好に沿った情報であると考えられる。表示手段１１２のブックマーク（「お気に入り」とも称される）に登録された情報（ブックマーク情報）は、そのクライアント装置１１に個別のものであるから、「個別ブックマーク情報」とも称す。また、個別ブックマーク情報はＵＲＬの集合であるので、そのＵＲＬを「個別ブックマークＵＲＬ」とも称す。
【００４６】
記憶手段１１３は、クライアントを判別するクライアント識別子を記憶する。また、登録された個別ブックマーク情報やサーバ装置２１から取得した嗜好類似ブックマーク情報を記憶する。ブックマーク情報はＵＲＬの集合である。記憶手段１１３は、メモリまたは磁気ディスク等の記憶装置である。
【００４７】
ブックマーク情報処理手段１１４は、入力手段１１１より受けた指示内容を解釈し、表示手段１１２、記憶手段１１３、通信制御手段１１５に指示・要求を出す。
【００４８】
すなわち、ブックマーク情報処理手段１１４は、指示内容が表示手段１１２の起動であるとき、記憶手段１１３からクライアント識別子と個別ブックマーク情報とを読み出し、読み出したクライアント識別子と個別ブックマーク情報とを通信制御手段１１５に送出する。送出後、ブックマーク情報処理手段１１４は、通信制御手段１１５より個別ブックマーク情報と嗜好類似ブックマーク情報とを受け取り、受け取った個別ブックマーク情報と嗜好類似ブックマーク情報とを記憶手段１１３に記憶する。
【００４９】
また、ブックマーク情報処理手段１１４は、指示内容がブックマーク情報の表示のとき、記憶手段１１３から個別ブックマーク情報と嗜好類似ブックマーク情報とを読み出し、読み出した個別ブックマーク情報と嗜好類似ブックマーク情報とを表示手段１１２に送出する。このとき、ブックマーク情報処理手段１１４は、個別ブックマーク情報を「親」、嗜好類似ブックマーク情報を「子」としたブックマークの階層化を行い、表示手段１１２に送出する。ブックマーク情報の階層化の例を図１０に示す。
【００５０】
通信制御手段１１５は、ブックマーク情報処理手段１１４から受け取った情報をネットワーク３１を介してサーバ装置２１に送信する。また、通信制御手段１１５は、ネットワーク３１を介してサーバ装置２１から受信した情報をブックマーク情報処理手段１１４に送出する。
【００５１】
通信制御手段２１１は、ネットワーク３１を介してクライアント装置１１，１２，１３または１４から受信した情報を情報収集手段２１２に送出する。また、通信制御手段２１１は、情報収集手段２１２から受け取った情報をネットワーク３１を介してクライアント装置１１，１２，１３または１４に送信する。
【００５２】
情報収集手段２１２は、通信制御手段２１１からクライアント識別子と個別ブックマーク情報とを受け取り、クライアント識別子ごとに個別ブックマーク情報をブックマーク情報記憶手段２１４に記憶する。情報収集手段２１２は、個別ブックマーク情報の記憶後に、クライアント識別子と個別ブックマーク情報とを情報統計手段２１３に送出し、クライアント識別子に対応する個別ブックマーク情報の嗜好に沿ったブックマーク情報（「嗜好類似ブックマーク情報」と称す）を要求する。その後、情報収集手段２１２は、情報統計手段２１３から嗜好類似ブックマーク情報を取得し、嗜好類似ブックマーク情報と個別ブックマーク情報とを通信制御手段２１１に送出する。
【００５３】
情報統計手段２１３は、情報収集手段２１２からクライアント識別子と個別ブックマーク情報とを受け取り、ブックマーク情報記憶手段２１４に含まれる各クライアント識別子に対応する個別ブックマーク情報を基に嗜好類似ブックマーク情報を選定し、選定した嗜好類似ブックマーク情報を情報収集手段２１２に送出する。より具体的には、情報統計手段２１３は、ブックマーク情報記憶手段２１４を検索して、受け取ったクライアント識別子に対応する個別ブックマーク情報に含まれるＵＲＬと同一のＵＲＬを個別ブックマーク情報に持つクライアント識別子を特定する手段と、特定したクライアント識別子の個別ブックマーク情報に含まれるＵＲＬを、含まれるＵＲＬごとにカウントする手段と、カウントした結果である総計が上位から一定数（例えば３個、即ち上位３位まで）のＵＲＬを嗜好類似ブックマーク情報として抽出する手段とを含んでいる。
【００５４】
ブックマーク情報記憶手段２１４は、クライアント識別子ごとにクライアント識別子に対応する個別ブックマーク情報を記憶する。ブックマーク情報記憶手段２１４は、メモリまたは磁気ディスク等の記憶装置である。
【００５５】
次に、本発明の第１の実施の形態の動作について説明する。
【００５６】
最初に、図４を参照して、全体の動作について、概略を説明する。
【００５７】
なお、クライアント装置１１〜１４は、図４（ａ）に示すように、それぞれクライアント識別子Ｃ０〜Ｃ３を有し、個別ブックマーク情報Ｂ０〜Ｂ３を有しているものとする。また、ブックマーク情報記憶手段２１４は図４（ｂ）のようになっているものとする。
【００５８】
利用者ａがブラウザ等の表示手段１１２を起動した時に、表示手段１１２は表示手段１１２の個別ブックマーク情報Ｂ０とクライアント識別子Ｃ０とをサーバ装置２１に送信する。個別ブックマーク情報とは、ブックマークに登録されたＵＲＬの集合である。
【００５９】
サーバ装置２１は、クライアント装置１１から表示手段１１２の個別ブックマーク情報Ｂ０とクライアント識別子Ｃ０とを受信する。そして、サーバ装置２１は、クライアント識別子Ｃ０と個別ブックマーク情報Ｂ０とをブックマーク情報記憶手段２１４に記憶する。ブックマーク情報記憶手段２１４は図４（ｃ）のようになる。
【００６０】
サーバ装置２１は、個別ブックマーク情報Ｂ０を記憶し終えた後、クライアント識別子Ｃ０〜Ｃ３に対応する個別ブックマーク情報Ｂ０〜Ｂ３を使用して、クライアント識別子Ｃ０の個別ブックマーク情報に含まれるＵＲＬと、同一のＵＲＬを個別ブックマーク情報に含むクライアント識別子を特定する。すなわち、クライアント識別子Ｃ０の個別ブックマーク情報に含まれるＵＲＬは、http://www.aaa.com/とhttp://www.bbb.com/とである。http://www.aaa.com/のＵＲＬを含むのは、クライアント識別子Ｃ０，Ｃ１，Ｃ２である。また、http://www.bbb.com/のＵＲＬを含むのは、クライアント識別子Ｃ０，Ｃ２，Ｃ３である。
【００６１】
サーバ装置２１は、特定したクライアント識別子の個別ブックマーク情報に含まれるＵＲＬを、含まれるＵＲＬの種類ごとにカウントする。すなわち、サーバ装置２１は、http://www.aaa.com/について、クライアント識別子Ｃ０，Ｃ１，Ｃ２の個別ブックマーク情報Ｂ０，Ｂ１，Ｂ２に含まれるＵＲＬ（http://www.aaa.com/は除外）を、ＵＲＬの種類ごとに、幾つの個別ブックマーク情報（即ち、クライアント識別子）に含まれるかをカウントする。カウント（統計処理）の結果は図４（ａ）に示すようになる。また、サーバ装置２１は、http://www.bbb.com/について、クライアント識別子Ｃ０，Ｃ２，Ｃ３の個別ブックマーク情報Ｂ０，Ｂ２，Ｂ３に含まれるＵＲＬ（http://www.bbb.com/は除外）を、ＵＲＬの種類ごとに、幾つの個別ブックマーク情報（即ち、クライアント識別子）に含まれるかをカウントする。カウント（統計処理）の結果は図４（ａ）に示すようになる。
【００６２】
サーバ装置２１は、カウントした結果、クライアント識別子Ｃ０の個別ブックマーク情報Ｂ０に含まれるＵＲＬの各々について、カウント数（総計）の多いＵＲＬの例えば上位３位までを嗜好類似ブックマークＵＲＬとして抽出する。すなわち、図４（ａ）に示すように、サーバ装置２１は、http://www.aaa.com/について、図４（ａ）の嗜好類似ａで示すＵＲＬを抽出する。また、サーバ装置２１は、http://www.bbb.com/について、図４（ａ）の嗜好類似ｂで示すＵＲＬを抽出する。
【００６３】
サーバ装置２１は、抽出した嗜好類似ブックマークＵＲＬを、個別ブックマーク情報Ｂ０に含まれるＵＲＬと同時に、クライアント装置１１に送信する。すなわち、サーバ装置２１は、http://www.aaa.com/と図４（ａ）の嗜好類似ａで示すＵＲＬとの組、およびhttp://www.bbb.com/と図４（ａ）の嗜好類似ｂで示すＵＲＬとの組をクライアント装置１１に送信する。
【００６４】
クライアント装置１１は、サーバ装置２１から個別ブックマークＵＲＬと個別ブックマークＵＲＬに関連する嗜好類似ブックマークＵＲＬとを受信する。そして、クライアント装置１１は、個別ブックマーク情報と関連付けて、嗜好類似ブックマークＵＲＬを記憶手段１１３に記憶する。
【００６５】
利用者ａが、入力手段１１１から表示手段１１２に対してブックマーク情報を表示する指示を出したとき、クライアント装置１１は、記憶されている個別ブックマークＵＲＬと、個別ブックマークＵＲＬに関連付けられた嗜好類似ブックマークＵＲＬとを表示する。
【００６６】
以下に、各動作の詳細について説明する。
【００６７】
先ず、図５を参照して嗜好類似ブックマークの取得時の動作について説明する。
【００６８】
利用者は、クライアント装置１１上で入力手段１１１から表示手段１１２を起動する指示を出す（表示手段１１２の起動指示プロセス、ステップＳ１）。
【００６９】
ブックマーク情報処理手段１１４は、表示手段１１２の起動指示を受け取り、記憶手段１１３から個別ブックマーク情報とクライアント識別子とを読み出す（ブックマーク情報とクライアント識別子取得プロセス、ステップＳ２）。ブックマーク情報処理手段１１４は、読み出した個別ブックマーク情報とクライアント識別子とを通信制御手段１１５に送出する（ステップＳ２）。
【００７０】
通信制御手段１１５は、個別ブックマーク情報とクライアント識別子とを、ネットワーク３１を介してサーバ装置２１に送信する（情報送信プロセス、ステップＳ３）。
【００７１】
サーバ装置２１の通信制御手段２１１は、個別ブックマーク情報とクライアント識別子とを受信し、それらの情報を情報収集手段２１２に送出する（ステップＳ４）。情報収集手段２１２は、受け取った個別ブックマーク情報とクライアント識別子とを、図６に示すように、クライアント識別子ごとの個別ブックマーク情報をブックマーク情報記憶手段２１４に記憶する（ブックマーク情報記録プロセス、ステップＳ４）。ブックマーク情報記録プロセス終了後、情報収集手段２１２は、情報統計手段２１３にクライアント識別子と個別ブックマーク情報とを送出する（ステップＳ４）。
【００７２】
情報統計手段２１３は、クライアント識別子と個別ブックマーク情報とを受け取った後、受け取った個別ブックマーク情報に含まれるＵＲＬを順に一つずつ取り出し、ＵＲＬごとに以下のステップＳ５−１〜ステップＳ５−３を繰り返し行う。図７に、情報統計手段２１３の動作を説明する図を示す。
【００７３】
情報統計手段２１３は、取り出したＵＲＬで、ブックマーク情報記憶手段２１４を参照し、取り出したＵＲＬと同一のブックマークＵＲＬを持つクライアント識別子に対応する個別ブックマーク情報を取得する（同一のブックマークＵＲＬを持つ利用者のブックマーク情報の取得プロセス、ステップＳ５−１）。
【００７４】
情報統計手段２１３は、各ブックマークＵＲＬに対して、所持するクライアント識別子（利用者）の数をカウントする（ブックマーク情報の統計プロセス、ステップＳ５−２）。
【００７５】
情報統計手段２１３は、ブックマーク情報の統計プロセス後、カウント数の上位３位までのＵＲＬを、取り出したＵＲＬに関連する嗜好類似ブックマークＵＲＬとして抽出する（嗜好類似ブックマークＵＲＬ取得プロセス、ステップＳ５−３）。
【００７６】
情報統計手段２１３は、個別ブックマーク情報に含まれる全てのＵＲＬに対する嗜好類似ブックマークＵＲＬを取得し、嗜好類似ブックマーク情報として情報収集手段２１２に送出する。
【００７７】
情報収集手段２１２は、嗜好類似ブックマーク情報を受け取った後、通信制御手段２１１に嗜好類似ブックマーク情報を送出する（ステップＳ６）。通信制御手段２１１は、受け取った嗜好類似ブックマーク情報をネットワーク３１を介して、クライアント装置１１に送信する（ブックマーク情報と嗜好類似ブックマークＵＲＬ送信プロセス、ステップＳ６）。
【００７８】
クライアント装置１１の通信制御手段１１５は、嗜好類似ブックマーク情報を受信し、ブックマーク情報処理手段１１４に送出する（ステップＳ７）。ブックマーク情報処理手段１１４は、嗜好類似ブックマーク情報を受け取った後、図８に示すように、記憶手段１１３に保存する（嗜好類似ブックマーク情報保存プロセス、ステップＳ７）。
【００７９】
次に、図９を参照して、嗜好類似ブックマーク情報の表示時の動作について説明する。
【００８０】
利用者は、クライアント装置１１上で入力手段１１１から、ブックマーク情報の表示を指示する（ブックマーク表示指示プロセス、ステップＢ１）。
【００８１】
入力手段１１１での指示を受け取ったブックマーク情報処理手段１１４は、記憶手段１１３から個別ブックマーク情報と嗜好類似ブックマーク情報を読み出す（ブックマーク情報と嗜好類似ブックマークの取得プロセス、ステップＢ２）。
【００８２】
ブックマーク情報処理手段１１４は、読み出した個別ブックマーク情報と嗜好類似ブックマーク情報とを基にブックマーク情報の階層化を行う（ブックマークと嗜好類似ブックマークの階層化プロセス、ステップＢ３）。ブックマーク情報処理手段１１４は、階層化を行った個別ブックマーク情報と嗜好類似ブックマーク情報とを表示手段１１２に送出する（ステップＢ３）。ブックマーク情報処理手段１１４が行うブックマーク情報の階層化は、読み出した個別ブックマーク情報に含まれる個別ブックマークＵＲＬごとに、その個別ブックマークＵＲＬに関連する嗜好類似ブックマークＵＲＬを配下（下層）としている。
【００８３】
表示手段１１２は、階層化された個別ブックマーク情報と嗜好類似ブックマーク情報とを表示する（ステップＢ４）。表示例を図１０に示す。図１０は、図８に示す情報を基に階層化して表示した例である。表示された個別ブックマークＵＲＬまたは嗜好類似ブックマークＵＲＬを指定することにより、指定したＵＲＬにアクセスする。
【００８４】
次に、本発明の第１の実施の形態の効果について説明する。
【００８５】
第１の効果は、利用者が簡単に利用者の嗜好に合ったＷｅｂサイトを探索することができることである。
【００８６】
その理由は、サーバ装置２１が、各クライアント装置１１〜１４が所持する個別ブックマーク情報を収集し、収集した個別ブックマーク情報に含まれるＵＲＬを統計処理して、例えばクライアント装置１１に対する嗜好類似ブックマーク情報を選定し、選定した嗜好類似ブックマーク情報をクライアント装置１１に送信するようにしたためである。
【００８７】
第２の効果は、利用者が入手したＵＲＬのＷｅｂサイトに簡単にアクセスできることである。
【００８８】
その理由は、自動的にサービス利用者のブックマークに嗜好類似ブックマークＵＲＬが登録され、通常のブックマークと同様の方法で、提供された嗜好類似ブックマークＵＲＬにアクセスできるためである。
【００８９】
第３の効果は、一般のＷｅｂサイトは、そのＷｅｂサイトを検索システムで検索するための単語の登録や、意味情報の付加を行う必要としないことである。
【００９０】
その理由は、利用者の嗜好性をブックマークに所持するＵＲＬだけで判断するためである。
【００９１】
第４の効果は、検索では発見しづらいＷｅｂサイトでも、利用者が苦労なく入手できることである。
【００９２】
その理由は、検索で使用されるリンクの数やアクセス数で決定された優先度に左右されずに、嗜好性を予測する統計処理を行っているためである。
【００９３】
更に、本発明の第２の実施の形態について説明する。
【００９４】
本発明の第２の実施の形態は、フィルタリングにより、利用者の個別ブックマーク情報に含まれるＵＲＬや全利用者の多くが所持するＵＲＬを除外する機構を有している。
【００９５】
先ず、本発明の第２の実施の形態の構成について説明する。
【００９６】
図１１を参照すると、本発明の第２の実施の形態は、クライアント装置１１〜１４と、サーバ装置２２と、ネットワーク３１とを備えている。
【００９７】
図１２を参照すると、サーバ装置２２は、通信制御手段２１１と、情報収集手段２１２と、情報統計手段２２３と、ブックマーク情報記憶手段２１４と、人気ＵＲＬ記憶手段２２５とを含んでいる。
【００９８】
図３に示す第１の実施の形態のサーバ装置２１と比べ、情報統計手段２２３と人気ＵＲＬ記憶手段２２５とが異なる。ここでは、第１の実施の形態と異なる情報統計手段２２３と人気ＵＲＬ記憶手段２２５とについて説明する。
【００９９】
情報統計手段２２３は、第１の実施の形態の情報統計手段２１３の機能に加え、フィルタリングプロセスを含む。フィルタリングプロセスは、ブックマーク情報の統計プロセスで得た統計の結果から、人気ＵＲＬ記憶手段２２５に含まれるＵＲＬと、個別ブックマーク情報を送信した利用者のブックマークに含まれるＵＲＬとを取り除く行程である。
【０１００】
人気ＵＲＬ記憶手段２２５は、利用者の多く（例えば、９０％以上の利用者）がブックマークに所持するＵＲＬを記憶する。人気ＵＲＬ記憶手段２２５は、メモリまたは磁気ディスク装置等の記憶装置である。
【０１０１】
また、サーバ装置２２は、人気ＵＲＬ選定手段（図示せず）を有する。
【０１０２】
人気ＵＲＬ選定手段は、ブックマーク情報記憶手段２１４を検索し、全ての利用者の内、閾値（例えば９０％）以上の利用者がブックマークに所持するＵＲＬを選定する。人気ＵＲＬ選定手段は、選定したＵＲＬを人気ＵＲＬ記憶手段２２５に記憶する。例えば、人気ＵＲＬ選定手段は、図１４に示すブックマーク情報記憶手段２１４を参照し、「http://a.com」を、全ての利用者（クライアント識別子）Ａ０〜Ａ９の内、利用者（クライアント識別子）Ａ１〜Ａ９が所持していると判定する。人気ＵＲＬ選定手段は、閾値（例えば９０％）以上の利用者（クライアント識別子）が所持しているので、「http://a.com」を人気ＵＲＬとして人気ＵＲＬ記憶手段２２５に格納する。人気ＵＲＬ選定手段に制御が渡るタイミングは、サーバ装置２２が起動した時でもよいし、サーバ装置２２が例えばクライアント装置１１からクライアント識別子と個別ブックマーク情報とを受信した時でもよい。また、図１３に示すフローの中で、フィルタリングプロセス（ステップＣ５−３）が開始する前でもよい。
【０１０３】
次に、本発明の第２の実施の形態の動作について説明する。
【０１０４】
図１３を参照して、第２の実施の形態における嗜好類似ブックマークの取得時の動作について説明する。
【０１０５】
なお、人気ＵＲＬ記憶手段２２５には、人気ＵＲＬ選定手段により、人気ＵＲＬとして、http://a.com/が登録されているものとする。
【０１０６】
図１３のステップＣ１〜Ｃ４およびステップＣ６〜Ｃ７は、第１の実施の形態における図５のステップＳ１〜Ｓ４およびステップＳ６〜Ｓ７と同様なので、説明を省略する。異なる部分について説明する。
【０１０７】
情報統計手段２２３は、クライアント識別子と個別ブックマーク情報とを受け取った後、受け取った個別ブックマーク情報に含まれるＵＲＬを順に一つずつ取り出し、ＵＲＬごとに以下のステップＣ５−１〜ステップＣ５−４を繰り返し行う。図１４に、情報統計手段２２３の動作を説明する図を示す。
【０１０８】
情報統計手段２２３は、取り出したＵＲＬで、ブックマーク情報記憶手段２１４を参照し、取り出したＵＲＬと同一のブックマークＵＲＬを持つクライアント識別子に対応する個別ブックマーク情報を取得する（同一のブックマークＵＲＬを持つ利用者のブックマーク情報の取得プロセス、ステップＣ５−１）。
【０１０９】
情報統計手段２２３は、各ブックマークＵＲＬに対して、所持するクライアント識別子（利用者）の数をカウントする（ブックマーク情報の統計プロセス、ステップＣ５−２）。
【０１１０】
情報統計手段２２３は、ブックマーク情報の統計プロセスで得た統計処理の結果から、人気ＵＲＬ記憶手段２２５に記憶するＵＲＬと、ブックマーク情報を送信した利用者の個別ブックマーク情報に含まれるＵＲＬとを取り除き、フィルタリング後の統計結果としてブックマーク情報記憶手段２１４に格納する（フィルタリングプロセス、ステップＣ５−３）。
【０１１１】
情報統計手段２２３は、フィルタリング後の統計結果をブックマーク情報記憶手段２１４から読み出し、カウント数の上位３位までのＵＲＬを、取り出したＵＲＬに関連する嗜好類似ブックマークＵＲＬとして抽出する（嗜好類似ブックマークＵＲＬ取得プロセス、ステップＣ５−４）。
【０１１２】
情報統計手段２２３は、個別ブックマーク情報に含まれる全てのＵＲＬに対する嗜好類似ブックマークＵＲＬを取得し、嗜好類似ブックマーク情報として情報収集手段２１２に送出する。
【０１１３】
次に、本発明の第２の実施の形態の効果について説明する。
【０１１４】
第２の実施の形態における効果は、利用者の既知の情報である可能性が極めて高いＵＲＬを予め除外できることである。
【０１１５】
その理由は、利用者が既にブックマークに所持するＵＲＬや全利用者の多くが所持するＵＲＬを除外するようにしたためである。
【０１１６】
更に、本発明の第３の実施の形態について説明する。
【０１１７】
本発明の第３の実施の形態は、表示手段４１２は既存のままで、個別ブックマーク情報をサーバ装置２１に送信し、嗜好類似ブックマーク情報を取得する手段を表示手段４１２の外側に設けた形態である。
【０１１８】
先ず、本発明の第３の実施の形態の構成について説明する。
【０１１９】
本発明の第３の実施の形態の構成は、図１５に示すように、第１の実施の形態の構成と基本的に同様であるが、クライアント装置４１の構成が異なっている。
【０１２０】
本発明の第３の実施の形態におけるクライアント装置４１の構成を図１６に示す。図２に示す第１の実施の形態におけるクライアント装置１１の構成と比べ、表示手段４１２と、ブックマーク情報処理手段４１４と、情報処理手段４１６と、コントロール手段４１７とが異なっている。ここでは、第１の実施の形態と異なる表示手段４１２と、ブックマーク情報処理手段４１４と、情報処理手段４１６と、コントロール手段４１７とについて説明する。
【０１２１】
表示手段４１２は、既存のブラウザそのものである。すなわち、既存のブラウザの機能を有する。
【０１２２】
ブックマーク情報処理手段４１４は、ブックマーク情報を記憶する記憶手段１１３に対してアクセスを行う。
【０１２３】
情報処理手段４１６は、既存の定められた処理を行う。例えば、情報処理手段４１６が受け取ったブックマーク情報の操作を指示する命令を解釈し、ブックマーク情報処理手段４１４に対してブックマーク情報を操作する命令を送信する。
【０１２４】
コントロール手段４１７は、ブックマーク情報を操作する命令を情報処理手段４１６に送出する。コントロール手段４１７は、ブックマーク情報処理手段４１４を介して記憶手段１１３から個別ブックマーク情報を取得する。個別ブックマーク情報を取得した後、コントロール手段４１７は、取得した個別ブックマーク情報をサーバ装置２１に送信し、サーバ装置２１から嗜好類似ブックマーク情報を取得する。嗜好類似ブックマーク情報を取得した後、コントロール手段４１７は、取得した嗜好類似ブックマーク情報をブックマーク情報処理手段４１４を介して記憶手段１１３に格納する。
【０１２５】
次に、本発明の第３の実施の形態の動作について説明する。
【０１２６】
情報処理手段４１６の起動と同時に、ブックマーク情報処理手段４１４を起動し、更に、コントロール手段４１７を起動する。
【０１２７】
これにより、嗜好類似ブックマーク情報を取得する一連のプロセスが上述した実施の形態と同様に動作する。すなわち、コントロール手段４１７は、ブックマーク情報処理手段４１４を介して記憶手段１１３から個別ブックマーク情報を取得する。そして、コントロール手段４１７は、取得した個別ブックマーク情報をサーバ装置２１に送信し、サーバ装置２１から嗜好類似ブックマーク情報を取得する。そして、コントロール手段４１７は、取得した嗜好類似ブックマーク情報をブックマーク情報処理手段４１４を介して記憶手段１１３に格納する。
【０１２８】
また、情報処理手段４１６が行う表示指示により、表示手段４１２が起動され、表示手段４１２は嗜好類似ブックマークＵＲＬを表示する。
【０１２９】
次に、本発明の第３の実施の形態の効果について説明する。
【０１３０】
第３の実施の形態の効果は、利用者が使い慣れた既存の表示手段４１２と既存の情報処理手段４１６を適用できることである。
【０１３１】
その理由は、利用者が利用していた部分をそのまま使用して、追加機能として、嗜好類似ブックマークＵＲＬを取得する手段を設けたためである。
【０１３２】
更に、本発明の第４の実施の形態について説明する。
【０１３３】
本発明の第４の実施の形態は、嗜好類似ブックマークＵＲＬを一定時間ごとに取得する仕組みを有している。
【０１３４】
先ず、本発明の第４の実施の形態の構成について説明する。
【０１３５】
本発明の第４の実施の形態の構成は、図１７に示すように、第１の実施の形態の構成と基本的に同様であるが、クライアント装置５１の構成が異なっている。
【０１３６】
クライアント装置５１の構成を図１８に示し、ブックマーク情報処理手段５１４について説明する。
【０１３７】
ブックマーク情報処理手段５１４は、時刻機構（図示せず）から現在時間を取得する。そして、ブックマーク情報処理手段５１４は、起動時のタイミングから一定時間（例えば１時間）ごとに、第１の実施の形態と同様に、クライアント識別子と個別ブックマーク情報とを通信制御手段１１５を介してサーバ装置２１に送信する。そして、ブックマーク情報処理手段５１４は、サーバ装置２１から通信制御手段１１５を介して嗜好類似ブックマーク情報を取得し、取得した嗜好類似ブックマーク情報を記憶手段１１３に格納する。また、ブックマーク情報処理手段５１４は、記憶手段１１３に記憶した個別ブックマーク情報と嗜好類似ブックマーク情報とを表示手段１１２に送出する。
【０１３８】
次に、本発明の第４の実施の形態の効果について説明する。
【０１３９】
第４の実施の形態における効果は、利用者が常に最新の嗜好類似ブックマークＵＲＬを取得できることである。
【０１４０】
その理由は、一定時間ごとに嗜好類似ブックマーク情報を取得するためである。
【０１４１】
上述した本発明の各実施の形態におけるサーバ装置２１および２２並びにクライアント装置１１，４１および５１は、図１９に示す構成により実現されるものである。
【０１４２】
図１９を参照すると、サーバ装置２１および２２は、ＣＰＵ等により構成されたデータ処理装置６０１と、読み出し書き込み時間の短いメモリで構成された記憶装置６０２と、ハードディスク等の記憶容量の大きい記録媒体６０３と、データの入力を制御する入力装置６０４と、データの出力を制御する出力装置６０５と、ネットワーク３１を介して外部とのデータの送受信を制御する通信装置６０６と、を有して構成されている。
【０１４３】
この構成において、例えば、図３に示されるサーバ装置２１に関しては、記録媒体６０３にブックマーク情報提供用のプログラムが格納されている。データ処理装置６０１が記録媒体６０３からブックマーク情報提供用のプログラムを記憶装置６０２に読み込んで実行することにより、通信制御手段２１１，情報収集手段２１２および情報統計手段２１３を実現する。
【０１４４】
例えば、図１２に示されるサーバ装置２２に関しては、記録媒体６０３にブックマーク情報提供用のプログラムが格納されている。データ処理装置６０１が記録媒体６０３からブックマーク情報提供用のプログラムを記憶装置６０２に読み込んで実行することにより、通信制御手段２１１，情報収集手段２１２，情報統計手段２２３および人気ＵＲＬ選定手段を実現する。
【０１４５】
また、図１９を参照すると、クライアント装置１１，４１および５１は、ＣＰＵ等により構成されたデータ処理装置６０１と、読み出し書き込み時間の短いメモリで構成された記憶装置６０２と、ハードディスク等の記憶容量の大きい記録媒体６０３と、データの入力を制御する入力装置６０４と、データの出力を制御する出力装置６０５と、ネットワーク３１を介して外部とのデータの送受信を制御する通信装置６０６と、を有して構成されている。
【０１４６】
この構成において、例えば、図２に示されるクライアント装置１１に関しては、記録媒体６０３にブックマーク情報取得表示用のプログラムが格納されている。データ処理装置６０１が記録媒体６０３からブックマーク情報取得表示用のプログラムを記憶装置６０２に読み込んで実行することにより、入力手段１１１，表示手段１１２，ブックマーク情報処理手段１１４および通信制御手段１１５を実現する。
【０１４７】
例えば、図１６に示されるクライアント装置４１に関しては、記録媒体６０３にブックマーク情報取得表示用のプログラムが格納されている。データ処理装置６０１が記録媒体６０３からブックマーク情報取得表示用のプログラムを記憶装置６０２に読み込んで実行することにより、入力手段１１１，表示手段４１２，ブックマーク情報処理手段４１４，通信制御手段１１５，情報処理手段４１６およびコントロール手段４１７を実現する。
【０１４８】
例えば、図１８に示されるクライアント装置５１に関しては、記録媒体６０３にブックマーク情報取得表示用のプログラムが格納されている。データ処理装置６０１が記録媒体６０３からブックマーク情報取得表示用のプログラムを記憶装置６０２に読み込んで実行することにより、入力手段１１１，表示手段１１２，ブックマーク情報処理手段５１４および通信制御手段１１５を実現する。
【産業上の利用可能性】
【０１４９】
本発明は、嗜好性を判断して重み付けを行う検索システムや、ブックマーク共有システムでの利用が考えられる。
【図面の簡単な説明】
【０１５０】
【図１】本発明の第１の実施の形態の構成を示す図である。
【図２】本発明の第１の実施の形態におけるクライアント装置１１の構成を示すブロック図である。
【図３】本発明の第１の実施の形態におけるサーバ装置２１の構成を示すブロック図である。
【図４】ブックマーク情報の収集・統計を説明する図である。
【図５】嗜好類似ブックマーク情報取得時の動作を説明する図である。
【図６】ブックマーク情報記憶手段２１４を説明する図である。
【図７】情報統計手段２１３の動作を説明する図である。
【図８】記憶手段１１３を説明する図である。
【図９】ブックマーク表示時の動作を説明する図である。
【図１０】ブックマーク情報の表示例を示す図である。
【図１１】本発明の第２の実施の形態の構成を示す図である。
【図１２】本発明の第２の実施の形態におけるサーバ装置２２の構成を示すブロック図である。
【図１３】本発明の第２の実施の形態における嗜好類似ブックマーク情報取得時の動作を説明する図である。
【図１４】情報統計手段２２３の動作を説明する図である。
【図１５】本発明の第３の実施の形態の構成を示す図である。
【図１６】本発明の第３の実施の形態におけるクライアント装置４１の構成を示すブロック図である。
【図１７】本発明の第４の実施の形態の構成を示す図である。
【図１８】本発明の第４の実施の形態におけるクライアント装置５１の構成を示すブロック図である。
【図１９】本発明の各実施の形態におけるデータ処理装置６０１および記録媒体６０３の概略構成を示すブロック図である。
【符号の説明】
【０１５１】
１１    クライアント装置
１２    クライアント装置
１３    クライアント装置
１４    クライアント装置
２１    サーバ装置
２２    サーバ装置
３１    ネットワーク
４１    クライアント装置
５１    クライアント装置
１１１    入力手段
１１２    表示手段
１１３    記憶手段
１１４    ブックマーク情報処理手段
１１５    通信制御手段
２１１    通信制御手段
２１２    情報収集手段
２１３    情報統計手段
２１４    ブックマーク情報記憶手段
２２３    情報統計手段
２２５    人気ＵＲＬ記憶手段
４１２    表示手段
４１４    ブックマーク情報処理手段
４１６    情報処理手段
５１４    ブックマーク情報処理手段
６０１    データ処理装置
６０２    記憶装置
６０３    記録媒体
６０４    入力装置
６０５    出力装置
６０６    通信装置
【図１】
2008287595.tif 000003
【図２】
2008287595.tif 000004
【図３】
2008287595.tif 000005
【図４】
2008287595.tif 000006
【図５】
2008287595.tif 000007
【図６】
2008287595.tif 000008
【図７】
2008287595.tif 000009
【図８】
2008287595.tif 000010
【図９】
2008287595.tif 000011
【図１０】
2008287595.tif 000012
【図１１】
2008287595.tif 000013
【図１２】
2008287595.tif 000014
【図１３】
2008287595.tif 000015
【図１４】
2008287595.tif 000016
【図１５】
2008287595.tif 000017
【図１６】
2008287595.tif 000018
【図１７】
2008287595.tif 000019
【図１８】
2008287595.tif 000020
【図１９】
2008287595.tif 000021